(57)【特許請求の範囲】
【請求項１】
容器の外装（１０１）を作製するための包装材シートであって、前記シート（１）は、第１の縁部（２）と第２の縁部（３）との間を包装方向（Ａ）に沿って延び、かつ、使用時において、前記容器を取り出すために、前記外装（１０１）を裂いて開封するためにユーザが把持することができる開封手段（５）を備え、前記開封手段（５）は、
−前記包装方向（Ａ）に沿って延び、かつ、第１の開封ライン（Ｌ１）を画定する第１のバンド（６）であって、前記第１のバンド（６）は、前記シート（１）を第１の部分（１ａ）と第２の部分（１ｂ）とに分割する第１のバンド（６）と、
−前記シート（１）の前記第２の部分（１ｂ）の内部において前記第１のバンド（６）から離間するように延び、かつ、前記第１の開封ライン（Ｌ１）に対してある角度で傾斜する第２の開封ライン（Ｌ２）を画定する第２のバンド（７）と、
を備え、
前記開封手段は、また、少なくとも１つの合流点（１０）において前記第１のバンド（６）に当たり、かつ、少なくとも部分的に前記シート（１）の前記第１の部分（１ａ）の内部を延びる第３のバンド（９）を備え、前記第３のバンド（９）は、前記合流点（１０）から、前記第１の開封ライン（Ｌ１）から離間するように前記シート（１ａ）の前記第１の部分の内部を延びる第３の開封ライン（Ｌ３）を画定することを特徴とする、包装材シート。
【請求項２】
前記第２のバンド（７）は、少なくとも部分的に前記第１のバンド（６）に当たりかつ前記第１の縁部（２）に近いその第１の端部（７ａ）から、かつ、前記第１のバンド（６）から離間しかつ前記シートの前記第１の縁部（２）から遠いその第２の端部（７ｂ）から延びることを特徴とする、請求項１に記載の包装材シート。
【請求項３】
前記第１のバンド（６）および前記第２のバンド（７）は、前記第１の縁部（２）から延びることを特徴とする、請求項１または２に記載の包装材シート。
【請求項４】
前記第２のバンド（７）は、前記第２の開封ライン（Ｌ２）が、前記第１の縁部（２）に位置するその第１の端部（１１）から、前記第１のバンド（６）から所定の距離を離れたところまで延びるように成形されることを特徴とする、請求項１から３のいずれか１項に記載の包装材シート。
【請求項５】
前記第１の開封ライン（Ｌ１）および前記第２の開封ライン（Ｌ２）は、前記第１の縁部（２）の２つの別々の点から延びることを特徴とする、請求項１から４のいずれか１項に記載の包装材シート。
【請求項６】
前記第１の開封ライン（Ｌ１）と前記第２の開封ライン（Ｌ２）との間に配置される前記第１の縁部（２）の部分は、ユーザによって把持可能な把持部分を画定することを特徴とする、請求項４または５に記載の包装材シート。
【請求項７】
前記第２のバンド（７）は、前記シートの前記第１の縁部（２）の部分（２ａ）を画定する第１の端部セグメント（７ａ）と前記シートの前記第１の縁部（２）から遠い第２の端部セグメント（７ｂ）との間を延び、前記第１の端部セグメント（７ａ）は、また、前記把持部分を画定することを特徴とする、請求項５または６に記載の包装材シート。
【請求項８】
前記第３のバンド（９）は、前記シートの前記第１の部分（１ａ）の内部を延び、前記第１のバンド（６）を連結する前記合流点（１０）から始まり、かつ、前記第３の開封ライン（Ｌ３）を画定するように前記合流点（１０）から離間するように延びる端部セグメント（９ａ）を有し、前記第３のバンド（９）は、前記第１の端部セグメント（９ａ）から、かつ、そこから離間するように前記シートの前記第２の部分（１ｂ）に向かって延びることを特徴とする、請求項１から７のいずれか１項に記載の包装材シート。
【請求項９】
前記第３のバンド（９）は、その第１の端部セグメント（９ａ）の長さに等しく、かつ、前記第３の開封ライン（Ｌ３）に対応する幅を有することを特徴とする、請求項８に記載の包装材シート。
【請求項１０】
前記第２のバンド（７）および前記第３のバンド（９）は、双方とも、前記シートの前記第１の縁部（２）に近い第１の端部セグメント（７ａ、９ａ）と、前記シートの前記第１の縁部（２）から遠い第２の端部セグメント（７ｂ、９ｂ）と、の間を延び、前記第２のバンド（７）の前記第１の端部セグメント（７ａ）および前記第３のバンド（９）の前記第２の端部セグメント（９ｂ）は、それぞれ、前記シートの前記第１の縁部（２）の部分および前記第２の縁部（３）の部分を画定し、前記第１の縁部（２）の前記部分と前記第２の縁部（３）の前記部分は、双方とも、前記第１のバンド（６）から所定の長さにわたって前記シートの前記第２の部分（１ｂ）の内部を延びることを特徴とする、請求項１から９のいずれか１項に記載の包装材シート。
【請求項１１】
前記第１のバンド（６）は、前記シートに固定される補強テープ（１２）によって画定され、かつ、前記第２のバンド（７）および前記第３のバンド（９）は、少なくとも部分的に、前記第１のバンド（６）の前記テープ（１２）に重ねられまたは下に位置する補強帯（１３）によって画定されることを特徴とする、請求項１から１０のいずれか１項に記載の包装材シート。
【請求項１２】
前記第２の開封ライン（Ｌ２）および前記第３の開封ライン（Ｌ３）は、双方とも、前記シートの前記第２の縁部（３）に向かって延び、かつ、前記第２の開封ライン（Ｌ２）および前記第３の開封ライン（Ｌ３）は、互いに対して直角であることを特徴とする、請求項１から１１のいずれか１項に記載の包装材シート。
【請求項１３】
容器（１０２）と、前記容器（１０２）の周囲に包装される外装（１０１）と、を備える喫煙製品用の包装箱であって、前記外装（１０１）は、請求項１から１２のいずれか１項に記載の包装材シート（１）によって画定され、前記容器（１０２）の周囲に包装され、前記第１のバンド（６）は、前記シート（１）の前記第１の部分（１ａ）および前記第２の部分（１ｂ）が、それぞれ、前記容器（１０２）の第１の片側部分（１０２ａ）および第２の片側部分（１０２ｂ）に重ねられるように周辺方向に前記容器（１０２）の周囲にあることを特徴とする、包装箱。
【請求項１４】
前記包装材シート（１）は、それぞれ、前記第１の縁部（２）および前記第２の縁部（３）に近く、前記第１の縁部（２）が、少なくとも前記第１のバンド（６）および前記第２のバンド（７）において、前記開封ライン（Ｌ１、Ｌ２、Ｌ３）に沿って前記外装（１０１）を裂くためにユーザによって把持可能なタブまたは把持部分（１０４）を画定するように互いに熱シールされる２つのフラップ（１０３）を有することを特徴とする、請求項１３に記載の包装箱。
【請求項１５】
前記容器（１０２）は、略平行六面体形状であり、少なくとも、前記第１の片側部分（１０２ａ）を画定し、かつ、前記喫煙製品を取り出すためにユーザによって開封可能な上側部分と、前記第２の片側部分（１０２ｂ）を画定し、かつ、前記喫煙製品を収容する収納部分と、を有することを特徴とする、請求項１３または１４に記載の包装箱。
【請求項１６】
前記把持可能なタブ（１０４）は、前記略平行六面体形状の容器（１０２）の１つの側面に位置することを特徴とする、請求項１４または１５に記載の包装箱。
【請求項１７】
容器（１０２）用の外装（１０１）を作製するための包装材シート（１）を作製するための方法であって、
−熱シール可能な包装材の連続状フィルム（１４）を設けるステップと、
−前記フィルム（１４）に接合することができる材料のテープ（１２）を設けるステップと、
−前記フィルム（１４）に接合することができる材料の複数の帯（１３）を設けるステップと、
−前記フィルム（１４）を所定の繰り出し方向（Ｂ）に沿って繰り出すステップと、
−前記フィルム（１４）を、前記テープ（１２）をはさんで反対側の第１の部分（１４ａ）と第２の部分（１４ｂ）とに分割するように、前記テープ（１２）を前記フィルム（１４）に前記繰り出し方向（Ｂ）に平行に重ねかつ固定するステップと、
−各帯（１３）が次の帯から間隔をおいて配置され、かつ、前記テープ（１２）との交差区域（１３ａ）を有するように、各帯（１３）を前記フィルム（１４）に重ねかつ離して固定するステップであって、前記交差区域（１３ａ）が、前記フィルム（１４）の前記第１の部分（１４ａ）に位置する少なくとも１つの第１のストレッチ（１３ｂ）と前記フィルム（１４）の前記第２の部分（１４ｂ）に位置する少なくとも１つの第２のストレッチ（１３ｃ）との間に配置されるステップと、
−前記フィルム（１４）を、前記繰り出し方向（Ｂ）に対して横方向の切断ライン（Ｔ）に沿って、各帯（１３）において切断して、前記帯を、前記第１のストレッチ（１３ｂ）を含む第１の片側部分（１５ａ）と、前記第２のストレッチ（１３ｃ）を少なくとも部分的に含みかつ前記テープ（１２）から延びる第２の片側部分（１５ｂ）と、に分割するステップと、
を備える方法。
【請求項１８】
前記切断するステップは、前記交差区域（１３ａ）において行われることを特徴とする、請求項１７に記載の方法。
【請求項１９】
前記切断するステップの後、各帯（１３）の前記第１の片側部分（１５ａ）は、部分的に前記第１の部分（１４ａ）に、かつ、部分的に前記第２の部分（１４ｂ）に位置し、かつ、各帯（１３）の前記第２の片側部分（１５ｂ）は、完全に前記フィルム（１４）の前記第２の部分（１４ｂ）の内部に位置することを特徴とする、請求項１７または１８に記載の方法。
【請求項２０】
各帯（１３）は、細長い多角形の要素（１６）によって画定され、前記多角形の要素（１６）は、前記多角形の要素（１６）の主なる軸（Ｃ）に沿って延びる少なくとも２つの長辺（１６ａ）と、前記長辺（１６ａ）を接続して２つの頂点（１７）を形成する少なくとも１つの短辺（１６ｂ）とを有し、各帯（１３）を重ねかつ離して固定する前記ステップは、前記主なる軸（Ｃ）が前記繰り出し方向（Ｂ）に対して所定の角度で傾斜するように、かつ、前記２つの頂点（１７）のうちの１つが前記テープ（１２）に位置するように向いている各多角形の要素（１６）を前記フィルム（１４）に位置決めすることによって行われることを特徴とする、請求項１７から１９のいずれか１項に記載の方法。
【請求項２１】
各帯（１３）を重ねかつ離して固定する前記ステップは、互いから所定の間隔をおいて前記帯（１３）を位置決めするために、順次かつ一定の間隔を開けて単一の帯（１３）を前記フィルム（１４）に重ねかつ固定するステップを繰り返すことによって行われることを特徴とする、請求項１７から２０のいずれか１項に記載の方法。
【発明の詳細な説明】
【技術分野】
【０００１】
本発明は、包装材シート、喫煙製品用包装箱および包装材シートを作製するための方法に関する。
【０００２】
本発明は、特に、包装業界において、かつ、特に、喫煙製品（好ましくはタバコなど）用包装箱の製造に適用可能である。
【背景技術】
【０００３】
従来技術において、タバコの包装箱をシールされている包装部に包装することが一般的である。包装部は、概して、セロファンのシートからなり、ユーザは、初めて包装箱を開封するとき、包装部を取り外す。
【０００４】
通常、容易に取り外すために、シートは、ユーザが把持することができる開封テープを備え、バンド自体によって画定される所定のラインに沿って材料を裂くことを簡単にする。
【０００５】
長年知られている最も一般的な解決手段において、タバコの包装箱を環状に一周して延び、かつ、蓋がヒンジ状の包装箱において蓋部の正面の開封ラインに位置する周辺方向の開封テープが用いられる。
【０００６】
しかし、頻繁に、この解決手段は、外装の上側部分と下側部分との間の分離ラインを作り出すことに限定されるという短所を有する。外装は、熱シールのため、少なくとも部分的に包装箱に取り付けられたままになって取り外すことは困難である。
【０００７】
これらの欠点を解消するために、近年、複数の解決手段が開発されてきており、これらすべての複数の解決手段が、外装が、単一のラインに沿ってではなく、三角形の開封フラップを画定する２つの分岐するラインに沿って裂かれる二重の分岐するバンドを基にしている。
【０００８】
具体的には、特許文献ＷＯ２０１３／１８９９４４には、従来の環状のバンドが、最初の周辺方向のストレッチにわたって延びた後、さらなる斜めのバンドを備える開封テープの解決手段が記載されている。この斜めのバンドは、包装箱の外装の下半分に向かって分岐して、外装の当該部分が裂けることを可能にする。
【０００９】
同様の解決手段が特許文献ＷＯ２０１３／０４２５９３に開示されており、タバコの包装箱のセロファンの外装が、２つのバンドを備える。２つのバンドは、互いから分岐するが、しかし、双方とも環状に延び、かつ、ユーザが把持することができる開封タブにおいて連結されている。
【００１０】
不利なことに、双方の上述の解決手段によっては、外装の上側部分を簡潔に取り外すことは保証されず、概してユーザにとって最も不便であり、かつ、多くの場合で、双方の解決手段は、上記従来の解決手段よりもより扱い難い。
【００１１】
また、特に、ＷＯ２０１３／０４２５９３に示されている外装について、この種の外装によって、バンドをセロファンフィルムに固定する工程が、かなり複雑になることが強調される。
【００１２】
実際に、これらの工程は、概して連続的に行われ、２つの別々の過程に続く、開示のように成形されている２つのバンドの貼着によって、２つのバンドが貼着される際の速度を調整することが非常に困難になる。特に、別々の接触速度を有する直線状バンドと曲線状バンドとを同時に固定することによって、バンドを貼着するステップが著しく複雑になり、かつ、操作不良率がかなり増加する。
【００１３】
さらなる従来技術の解決手段が特許文献ＷＯ２０１３／１２０８９９に開示されており、開封手段が、水平向きになっておりかつ少なくとも部分的に包装箱の周囲に延びているＶ字形状のバンドによって画定されている。この解決手段は、外装の上側部分をも裂くことを可能にするものの、使い勝手を悪くしており、かつ、使用する外装装置を大幅に改良することが必要になる。
【発明の概要】
【００１４】
（発明の開示）
したがって、本発明の目的は、上述の従来技術の欠点を解消する包装材シート、喫煙製品用包装箱および包装材シートを作製するための方法を提供することにある。
【００１５】
より詳細には、本発明の目的は、簡単に裂いて開封することができるように簡潔に作製かつ形成される包装材シートを提供することにある。
【００１６】
本発明の他の目的は、迅速かつ簡単に開封される喫煙製品用パックを提供することにある。
【００１７】
本発明のさらに他の目的は、効率的かつ簡単に実施できる包装材シートを作製するための方法を提供することにある。
【００１８】
これらの目的は、請求項１から１２のうちの１つまたは複数に記載の包装材シート、請求項１３から１６のうちの１つまたは複数に記載の喫煙製品用包装箱、および請求項１４から１８のうちの１つまたは複数に記載の包装材シートを作製するための方法により、達成される。
【００１９】
より詳細には、これらの目的は、シートが、第１の縁部と第２の縁部との間を包装方向に沿って延び、かつ、使用時において、容器を取り出すために、外装を裂いて開封するためにユーザが把持することができる開封手段を備える、容器の外装を作製するための包装材シートにより達成される。
【００２０】
本発明の一観点によると、開封手段は、
−包装方向に沿って延び、シートを第１の部分と第２の部分とに分割し、かつ、第１の開封ラインを画定する第１のバンドと、
−第１の縁部から、シートの第２の部分の内部において第１のバンドから離間するように延び、かつ、第１の開封ラインに対してある角度で傾斜する第２の開封ラインを画定する第２のバンドと、
−少なくとも１つの合流点において第１のバンドに当たり、かつ、少なくとも部分的にシートの第１の部分の内部を延びる第３のバンドであって、第３のバンドは、合流点から、第１の開封ラインから離間するようにシートの第１の部分の内部を延びる第３の開封ラインを画定する第３のバンドと、
を備える。
【００２１】
したがって、有利なことに、第２のバンドおよび第３のバンドが第１のバンドからかつ第１のバンドをはさんで反対側において延びる開封ラインを画定するので、概して最初に、バンドのうちの１つに作用することによって、ユーザは、シートの双方の部分を簡単に裂いて開封することができる。
【００２２】
したがって、有利なことに、第１の開封ラインおよび第２の開封ラインは、ユーザによる簡潔な引っ張り動作によって、同時に「作動する」ことができる。
【００２３】
好ましくは、第２のバンドは、シートの第１の縁部に近く、一方で第３のバンドは、シートの第２の縁部に近い。
【００２４】
なお、第１のバンドおよび第２のバンドは、それぞれ、第１の縁部から延びる。言い換えると、第１のバンドおよび第２のバンドは、それぞれ、第１の縁部においてそれらの原点を有する。
【００２５】
なおより好ましくは、第１の開封ラインおよび第２の開封ラインは、第１のバンドおよび第２のバンドのように、第１の縁部からかつ互いから離間するように延びるが、しかし、第１の縁部の別々の点においてそれらの原点を有する。したがって、第１の開封ラインおよび第２の開封ラインは、互いに当たらない。
【００２６】
好ましくは、第３のバンドは、シートの第１の部分内を延び、第１のバンドから始まり、合流点を画定し、かつ、そこから離間するように延びて第３の開封ラインを画定する端部セグメントを有する。より厳密には、第３のバンドは、端部セグメントからかつそこから離間するようにシートの第２の部分に向かって延びる。
【００２７】
より詳細には、第２のバンドおよび第３のバンドは、双方とも、シートの第１の縁部に近い第１の端部セグメントと、シートの第１の縁部から遠い第２の端部セグメントとの間を延びる。
【００２８】
なお、第２のバンドの第１の端部セグメントおよび第３のバンドの第２の端部セグメントは、それぞれ、シートの第１の縁部の部分および第２の縁部の部分を画定し、第１の縁部の部分と第２の縁部の部分は、双方とも、第１のバンドから所定の長さにわたってシートの第２の部分の内部を延びる。
【００２９】
これは、好ましくは、また、本発明の対象を構成し、３つのバンドおよび３つの開封ラインを迅速かつ簡単に得ることを可能にするシートを作製するための方法によって実現される。
【００３０】
実際に、この方法は、
−（熱シール可能な）包装材の連続状フィルムと、（補強）テープと、複数の（補強）帯と、を設けるステップと、
−フィルムを所定の繰り出し方向に沿って繰り出すステップと、
−フィルムを、テープをはさんで反対側の第１の部分と第２の部分とに分割するように、テープをフィルムに繰り出し方向に平行に重ねる（かつ固定する）ステップと、
−各バンドが次のバンドから間隔をおいて配置され、かつ、テープとの交差区域を有するように、各帯をフィルムに重ねる（かつ離して固定する）ステップであって、交差区域が、シートの第１の部分に位置する少なくとも１つの第１のストレッチとシートの第２の部分に位置する少なくとも１つの第２のストレッチとの間に配置されるステップと、
−フィルムを、繰り出し方向に対して横方向の（好ましくは直角に）切断ラインに沿って、各帯において切断して、帯を、第１のストレッチを含む第１の片側部分と、第２のストレッチを少なくとも部分的に含みかつテープから延びる第２の片側部分と、に分割するステップと、
を備える。
【００３１】
したがって、切断するステップは、フィルムを２つの隣接するシートに分割し、帯の第１の片側部分は、一方のシートの第３のバンドを画定し、一方で、第２の片側部分は、他方のシートの第２のバンドを画定する。テープは、第１のバンドを双方のシートに画定する。
【００３２】
したがって、有利なことに、２つの操作、すなわち、テープを貼着するステップおよび逐次的に帯を貼着するステップのみにおいて、その上側部分およびその収納部分の双方において、包装箱の外装を完全に開封することを可能にする３つのバンドおよび３つの開封ラインを得ることが可能である。
【図面の簡単な説明】
【００３３】
これらのおよび他の特徴は、以下の図面中に示す、包装材シート、喫煙製品用包装箱および包装材シートを作製するための方法の好ましいがこれに限らない例示的な実施形態に関する以下の説明からより明らかとなろう。
【００３４】
【図１】本発明に係る包装材シートの平面図を示す。
【図２】本発明に係る喫煙製品用包装箱の外装を開封する連続するステップの一つを示す。
【図２ａ】開封する前の図２、３および４の包装箱を下から見た図である。
【図３】本発明に係る喫煙製品用包装箱の外装を開封する連続するステップの一つを示す。
【図４】本発明に係る喫煙製品用包装箱の外装を開封する連続するステップの一つを示す。
【図５ａ】本発明に係る包装材シートを作製するための方法の連続するステップの一つを示す。
【図５ｂ】本発明に係る包装材シートを作製するための方法の連続するステップの一つを示す。
【図５ｃ】本発明に係る包装材シートを作製するための方法の連続するステップの一つを示す。
【図５ｄ】本発明に係る包装材シートを作製するための方法の連続するステップの一つを示す。
【図６】図５ｃの詳細を示す。
【図７】本発明に係るシートの代替の実施形態を示す。
【発明を実施するための形態】
【００３５】
（発明を実施するための最良の形態）
以下の図面を参照すると、符号１は、喫煙製品用の容器用の包装材シート（より詳細には、外装）を示す。
【００３６】
より詳細には、これにより本発明の範囲を限定するものではないが、本明細書において、たとえば、タバコの包装箱１００などの容器が明示される。
【００３７】
しかし、また、本発明に係るシート１は、任意の種類の容器１０２を包装する（より詳細には、外装する）ために用いてもよい。
【００３８】
包装材シート１は、好ましくは、たとえばセロファンなど熱シール可能な材料からなる。この材料は、使用時において、好ましくは、外装１０１を形成するために熱シールすることにより、容器１０２の周囲を包装してそれをシールするよう設計されている。
【００３９】
これに関して、シート１は、好ましくは、透明な材料からなる。
【００４０】
シート１は、第１の縁部２と第２の縁部３との間の平面において包装方向「Ａ」に沿って延びる。
【００４１】
なお、包装方向「Ａ」は、包装工程中にシート１が容器１０１の周囲に包装される周辺方向を画定する。
【００４２】
第１の縁部２および第２の縁部３は、好ましくは、互いに平行かつ対向している。
【００４３】
好ましくは、シート１は、略四辺形であり、かつ、２つの長手方向の縁部４を有する。縁部４は、包装方向「Ａ」に従った方向に向いており、かつ、互いに第１の縁部２および第２の縁部３を連結する。
【００４４】
したがって、シート１は、第１の縁部２と第２の縁部３との間の距離によって画定される第１の寸法「Ｄ１」と、２つの長手方向の縁部の間の距離によって画定される第２の寸法「Ｄ２」とを有する。
【００４５】
明らかに、これらの寸法の値は、シート１によって包装される容器１０１の大きさによる。
【００４６】
また、シート１には、開封手段５が関連付けられている。開封手段５は、容器１０２を取り出すために、（使用時において外装１０１を画定する）シート１を裂くためにユーザが把持することができる。
【００４７】
開封手段５はテープ型であり、すなわち、開封手段５は、（接着手段またはシールすることによって）シート１自体に重ねられかつ固定される（シート１の材料とは異なる）材料のバンドと、ユーザが把持することができるタブ１０４と、を少なくとも備える。
【００４８】
使用時に、タブが引っ張られると、シートの引裂強度とバンドの引裂強度との差異によって、シート１にバンド自体に沿って延びる開封ラインが生成される。
【００４９】
本発明の一観点によると、開封手段５は、第１のバンド６を備える。第１のバンド６は、包装方向「Ａ」に沿って延び、かつ、第１の開封ライン「Ｌ１」をシート１に画定する。
【００５０】
なお、第１のバンド６は、シート１を第１の部分１ａと第２の部分１ｂとに分割する。
【００５１】
好ましくは、第１のバンド６は、第１の縁部２および第２の縁部３との間を延びる。
【００５２】
したがって、第１のバンド６は、シート１の寸法「Ｄ１」の全長にわたって延びる。
【００５３】
言い換えると、第１のバンド６は、第１の縁部２に位置する第１の端部６ａと、第２の縁部３に位置する第２の端部６ｂとを有する。
【００５４】
また、開封手段５は、シート１の第２の部分１ｂの内部において第１のバンド６から離間するように延びる第２のバンド７を備える。
【００５５】
したがって、第１のバンド６および第２のバンド７は、離れていく。
【００５６】
第２のバンド７は、第１の開封ライン「Ｌ１」に対してある角度で傾斜する第２の開封ライン「Ｌ２」を画定する。
【００５７】
好ましくは、第１のバンド６および第２のバンド７は、少なくとも１つの交点８を有する。
【００５８】
したがって、有利なことに、ユーザが１つのタブを一度引っ張ると、２つの分岐する開封ラインはシート１において拡がる。
【００５９】
使用時において、第１の開封ライン「Ｌ１」および第２の開封ライン「Ｌ２」は、シート１の第２の部分１ｂを容器１０１から簡単に取り外すことを可能にする。
【００６０】
より詳細には、第２のバンド７は、第１のバンド６に当たりかつシート１の第１の縁部２に近いその第１の端部セグメント７ａから、かつ、第１のバンド６から離間しかつシート１の第１の縁部２から遠いその第２の端縁部７ｂからである。
【００６１】
好ましくは、第１のバンド６および第２のバンド７は、双方とも、第１の縁部２から延びる。したがって、第１の端部セグメント７ａは、第１の縁部２に位置する。
【００６２】
より厳密には、第２のバンド７の第１の端部セグメント７ａは、シート１の第１の縁部２の部分２ａを画定する。
【００６３】
また、交点８は、シート１の第１の縁部２の近くに（または第１の縁部２に）位置する。
【００６４】
好ましくは、第２のバンド７は、第２の開封ラインＬ２が、第１の縁部２に（すなわち、部分２ａに）位置するその第１の端部１１から、第１のバンド６から所定の距離を離れたところまで延びるように成形される。
【００６５】
したがって、第１の開封ライン「Ｌ１」および第２の開封ライン「Ｌ２」は、いずれの点においても交差しない。
【００６６】
言い換えると、第２の開封ライン「Ｌ２」は、端部１１から延び、第１のテープ６に近いが、しかし、第１のテープ６から間隔をおいて配置され、かつ、そこから離間していく。
【００６７】
なお、第１のバンド６の（第１の）端部６ａと第２の開封ライン「Ｌ２」の端部１１との間に配置される第１の縁部２の部分２ａは、ユーザが把持する部分（または、使用時における、タブ１０４）を画定する。
【００６８】
好ましくは、第２のバンド７は、第１の端部セグメント７ａによって、第２の端部セグメント７ｂによって、かつ、２つの側方セグメント７ｃ、７ｄによって辺が画定される四辺形の形状を有する。２つの側方セグメント７ｃ、７ｄは、第１の端部セグメント７ａと第２の端部セグメント７ｂとを互いに接続する。
【００６９】
図示の実施形態において、第２のバンド７は、台形形状を有し、側方セグメント７ｃ、７ｄは、台形の底辺を画定する。より厳密には、第２のバンド７は、斜めの辺が第１の端部セグメント７ａ（すなわち、シート１の第１の縁部２の部分２ａ）によって画定される直角台形形状を有する。
【００７０】
したがって、第２の開封ライン「Ｌ２」は、好ましくは、第２のバンド７の２つの側方セグメント７ｃ、７ｄのうちの１つによって、かつ、より詳細には、第１のバンド６から遠い側方セグメント７ｄによって画定される。
【００７１】
本発明の一観点によると、また、開封手段５は、第３のバンド９を備える。第３のバンド９は、少なくとも１つの合流点１０において第１のバンド６に当たり、かつ、少なくとも部分的にシート１の第１の部分１ａの内部を延びる。
【００７２】
第３のバンド９は、第３の開封ライン「Ｌ３」を画定する。第３の開封ライン「Ｌ３」は、合流点１０から、第１の開封ライン「Ｌ１」（すなわち、第１のバンド６から）から離間するようにシート１ａの第１の部分の内部を延びる。
【００７３】
したがって、有利なことに、３つ以上の開封ラインは、共有の第１のバンド６から拡がることができ、
−第１の開封ライン「Ｌ１」は、周辺方向に包装方向「Ａ」に沿って延び、
−第２の開封ライン「Ｌ２」は、第１の開封ライン「Ｌ１」から離間するように、少なくともその第１のストレッチにわたって、好ましくは、その全長にわたって、シート１の第２の部分１ｂの内部を延び、
−第３の開封ライン「Ｌ３」は、第１の開封ライン「Ｌ１」から離間するようにシートの第１の部分１ａの内部を延びる。
【００７４】
なお、好ましくは、第２の開封ライン「Ｌ２」および第３の開封ライン「Ｌ３」は、双方とも、シート１の第２の縁部３に向かって延び、かつ、等しくかつ第１の開封ライン「Ｌ１」に対して反対の角度で傾斜している。
【００７５】
なお、第１の開封ライン「Ｌ１」および第２の開封ライン「Ｌ２」は、原点が、第１のバンド６と第２のバンド７との交点８にあり、かつ、第２の縁部３に向かって延びる分岐（すなわち「Ｖ」）を画定する。
【００７６】
これに対し、第３の開封ライン「Ｌ３」は、好ましくは、第１の開封ライン「Ｌ１」の延長を画定し、第１の開封ライン「Ｌ１」に対して所定の角度で、第１のバンド６と第３のバンド９との合流点１０からシート１の第２の縁部３に向かって延びる。
【００７７】
構造的に、第３のバンド９は、好ましくは、少なくとも１つの端部セグメント９ａを有する。端部セグメント９ａは、シート１の第１の部分１ａの内部を延び、第１のバンド６から、すなわち、合流点１０において始まる。
【００７８】
端部セグメント９ａは、第３の開封ライン「Ｌ３」を画定するように合流点１０から離間するように延びる。
【００７９】
より厳密には、第３のバンド９は（第２のバンド７と同様に）、シートの第１の縁部２に近い第１の端部セグメント９ａとシートの第１の縁部２から遠い第２の端部セグメント９ｂとの間を延びる。
【００８０】
したがって、第３の開封ライン「Ｌ３」は、第３のバンド９の第１の端部セグメント９ａによって画定される。
【００８１】
第３のバンド９は、第１の端部セグメント９ａから、かつ、そこから離間するようにシートの第２の部分１ｂに向かって延びる。
【００８２】
より厳密には、第３のバンド９は、第１の端部セグメント９ａに対して（すなわち、第３の開封ライン「Ｌ３」に対して）横方向に（好ましくは直角に）シートの第２の部分１ｂに向かって延びる。
【００８３】
より詳細には（かつ第２のバンド７と同様に）、第３のバンドは、第１の端部セグメント９ａによって、第２の端部セグメント９ｂによって、かつ、２つの側方セグメント９ｃによって辺が画定される四辺形の形状を有する。２つの側方セグメント９ｃは、第１の端部セグメント９ａと第２の端部セグメント９ｂとを互いに接続する。
【００８４】
なお、好ましい実施形態において、第２の開封ライン「Ｌ２」は、第２のバンド７の側方セグメント７ｃによって画定され、一方で、第３の開封ライン「Ｌ３」は、第３のバンド９の第１の端部セグメント９ａによって画定される。
【００８５】
好ましくは、第３のバンド９は、台形形状を有し、側方セグメント９ｃは、台形の底辺を画定する。図示の実施形態において、第３のバンド９は、斜めの辺が第２の端部セグメント９ｂによって画定される直角台形形状を有する。
【００８６】
言い換えると、第３のバンド９は、その第１の端部セグメント９ａの長さに等しく、かつ、第３の開封ライン「Ｌ３」に対応する幅を有する。
【００８７】
なお、第３のバンド９の第２の端部セグメント９ｂは、シートの第２の縁部３の部分３ａを画定する。
【００８８】
より詳細には、第２のバンド７の第１の端部セグメント７ａおよび第３のバンド９の第２の端部セグメント９ｂは、それぞれ、シートの第１の縁部２の部分２ａおよびシートの第２の縁部３の部分３ａを画定する。双方の部分２ａおよび部分３ａは、第１のバンド６から所定の長さにわたってシート１の第２の部分１ｂの内部を延びる。
【００８９】
さらに、第２のバンド７および第３のバンド９は、同じ幅（すなわち、延長方向に直角な寸法）を有する。好ましくは、この幅は、第３の開封ライン「Ｌ３」の寸法に等しい。
【００９０】
好ましくは、第１のバンド６は、シート１に固定される補強テープ１２によって画定される。他方、第２のバンド７および第３のバンド９は、帯１３によって画定される。帯１３は、第１のバンド６のテープ１２に（交点８においてかつ合流点１０において）少なくとも部分的に重ねられ（すなわち、上に置く）、かつ、また、シート１に固定される。
【００９１】
あるいは、第１のバンド６のテープ１２が、第２のバンド７および第３のバンド９の帯１３に部分的に重ねられ（すなわち、上に置く）てもよい。
【００９２】
有利なことに、以上述べたことによって、シート１は、簡潔なかつ信頼性が高い方法を用いて作製することが簡単になる。
【００９３】
これに関して、また、本発明の対象には、包装材シート１を作製するための方法が含まれる。
【００９４】
この方法は、（熱シール可能な）包装材の連続状フィルム１４を設ける予備ステップと、フィルム１４に接合することができる（かつ好ましくは、フィルムの引裂強度よりも大きい引裂強度を有する）材料からなるテープ１２を設ける予備ステップと、フィルム１４に接合することができる（かつ好ましくは、フィルムの引裂強度よりも大きい引裂強度を有する）材料からなる帯１３を設ける予備ステップと、を備える。
【００９５】
なお、帯１３は、切断した状態で備えてもよく、または加工中に連続状ロールから切断してもよい。
【００９６】
また、帯１３は、テープ１２よりも広い。
【００９７】
次に、フィルム１４は、所定の繰り出し方向「Ｂ」に沿って進められる。好ましくは、繰り出し方向「Ｂ」は、上記包装方向「Ａ」に対応する。
【００９８】
フィルム１４が進むにつれて、テープ１２は、フィルム１４に、繰り出し方向「Ｂ」に平行なラインに重ねられ、かつ、固定される。
【００９９】
このように、テープ１２は、フィルム１４を、テープ１２自体をはさんで反対側の第１の部分１４ａと第２の部分１４ｂとに分割する。フィルム１４の部分１４ａ、１４ｂは、上記シート１の部分１ａ、１ｂに対応する。
【０１００】
好ましくは、テープ１２は、化学的手段によって、すなわち、たとえば、接着剤によって固定される。これに関して、テープ１２は、接着剤を塗布したテープである。なお、テープ１２は、好ましくは、フィルムが移動するにつれて、すなわち、フィルム１４が繰り出し方向「Ｂ」に沿って進むにつれてフィルムに貼着される。
【０１０１】
テープ１２が貼着される前または後、各々の帯１３が次の帯から間隔をおいて配置され、かつ、テープ１２との交差区域１３ａを有するように、各帯１３をフィルム１４に重ね、かつ、各帯１３を離して固定するステップがある。
【０１０２】
なお、「離して固定する」との記載は、帯１３が、繰り出し方向「Ｂ」に沿って互いから間隔をおいて配置されるように、帯１３を並べることを意味するように用いられる。
【０１０３】
より厳密には、各帯１３を重ねかつ離して固定するステップは、互いから所定の間隔をおいて帯１３を位置決めするために、順次かつ一定の間隔を開けて単一の補強帯１３をフィルム１４に重ねかつ固定するステップを繰り返すことによって行われる。
【０１０４】
したがって、上記２つの重ねるかつ固定するステップの後、フィルム１４は、繰り出し方向「Ｂ」に沿って延びる連続状のバンド、すなわち、テープ１２と、順次フィルム１４に沿って（かつテープ１２に沿って）並べられる別個の帯１３の連続体とを備える。
【０１０５】
好ましくは、交差区域１３ａは、フィルム１４の第１の部分１４ａに位置する少なくとも１つの第１のストレッチ１３ｂと、フィルム１４の第２の部分１４ｂに位置する少なくとも１つの第２のストレッチ１３ｃと、の間に配置される。
【０１０６】
したがって、各帯１３は、テープ１２に対して横方向に延び、かつ、交差区域１３ａにおいてテープ１２に交わる。
【０１０７】
なお、より詳細には、交差区域１３ａは、テープ１２の延長方向に沿って２つの端部の間を延びる略直線状セグメントであり、第１の端部が交点８に対応し、かつ、第２の端部が合流点１０に対応する。なお、交点８および合流点１０の双方は、シート１の記載において上記のように記載されている。
【０１０８】
好ましくは、各帯１３は、テープ１２に対して（したがって繰り出し方向「Ｂ」に対して）９０°とは異なる所定の角度で傾斜する。
【０１０９】
なお、好ましい実施形態において、各帯１３は、細長い多角形の要素１６によって画定される。要素１６は、多角形の要素１６の主なる軸「Ｃ」に沿って延びる少なくとも２つの長辺１６ａと、長辺１６ａを接続して２つの頂点１７を形成する少なくとも１つの短辺１６ｂとを有する。
【０１１０】
好ましくは、多角形の要素１６は、矩形形状である。
【０１１１】
したがって、各帯１３を重ねかつ離して固定するステップは、頂点１７のうちの１つがテープ１２に重ねられる（または交差する）ように各多角形の要素１６をフィルム１４に位置決めすることによって行われる。さらに、多角形の要素１６は、その主なる軸「Ｃ」が繰り出し方向「Ｂ」に対して（すなわち、テープ１２に対して）所定の角度で傾斜するように向いている。
【０１１２】
以上述べたことによれば、軸「Ｃ」は、テープ１２に対して９０°とは異なる角度で傾斜する。
【０１１３】
あるいは、特に図７を参照すると、帯１３は、上述の角度と同じ角度で、しかし、多角形の要素１６の双方の頂点１７がフィルム１４の第１の部分１４ａに位置するように、フィルムに位置決めされてもよい。
【０１１４】
なお、このようにして、第３の開封ライン「Ｌ３」は、上記の角度と反対側の角度で傾斜する、すなわち、第３の開封ライン「Ｌ３」は、第３のバンド９の側方セグメント９ｃによって少なくとも部分的に画定され、かつ、第１の縁部２に向かって延びる。
【０１１５】
いずれにせよ、テープ１２と同様に、帯１３は、また、好ましくは、化学的手段によって、すなわち、たとえば、接着剤によって固定される。これに関して、帯１３は、好ましくは接着剤を塗布される。
【０１１６】
テープ１２および帯１３が位置決めされると、本発明に係る方法は、繰り出し方向に対して横方向の（好ましくは直角に）切断ライン「Ｔ」に沿ってフィルム１４を切断するステップを備える。
【０１１７】
切断するステップは、帯１３を、第１のストレッチ１３ｂを含む第１の片側部分１５ａと、第２のストレッチ１３ｃを少なくとも部分的に含む第２の片側部分１５ｂと、に分割するために、各帯１３において行われる（すなわち、実行される）。
【０１１８】
より厳密には、切断するステップの後、各帯１３の第１の片側部分１５ａは、部分的にフィルム１４の第１の部分１４ａに、かつ、部分的にフィルム１４の第２の部分１４ｂに位置決めされる。
【０１１９】
また切断するステップに続いて、各帯１３の第２の片側部分１５ｂは、完全にフィルム１４の第２の部分１４ｂに位置決めされる。
【０１２０】
好ましくは、帯１３の第２の片側部分１５ｂは、テープ１２から延びる。
【０１２１】
したがって、切断するステップは、交差区域１３ａにおいて行われることが好ましい。
【０１２２】
なお、切断するステップによって、本発明に係る包装材シート１の縁部２、３が作製される。
【０１２３】
より厳密には、各切断するステップによって、１枚のシート１の第１の縁部２および次のシート１の第２の縁部３が作製される。
【０１２４】
また、切断するステップの結果、多角形の要素１６の長辺１６ａは、分割され、開封手段５の第２のバンド７のおよび第３のバンド９の側方セグメント７ｃ、９ｃが、それぞれ、形成される。
【０１２５】
したがって、各シート１は、２つの連続する切断するステップが２つの連続する帯１３において行われた結果、できるものである。
【０１２６】
上述のように、本発明に係る方法を用いて作製される包装材シート１は、喫煙製品用包装箱１００の外装１０１を作製するために用いることが好ましいがこれに限定されない。
【０１２７】
実際に、包装箱１００は、容器１０２と容器１０２の周囲に包装される外装１０１とを備える。
【０１２８】
その内部には、容器１０２が一群の喫煙製品（図示せず）、好ましくはタバコを有する。
【０１２９】
図示の実施形態において、容器１０２は、略平行六面体形状である。したがって、容器１０２は、正面壁部と、背面壁部と、底面壁部と、上部壁部と、２つの側方の側面と、を有する。
【０１３０】
次に、容器は、第１の片側部分１０２ａおよび第２の片側部分１０２ｂに分割することができる。
【０１３１】
より詳細には、容器１０２は、少なくとも、上側部分と、収納部分と、を有する。上側部分は、第１の片側部分１０２ａを画定し、かつ、喫煙製品を取り出すためにユーザによって開封可能であり、収納部分は、第２の片側部分１０２ｂを画定し、かつ、喫煙製品を収容する。
【０１３２】
上側部分１０２ａは、好ましくは、背面壁部において、収納部分１０２ｂにヒンジ式に取り付けられている蓋部を画定する。
【０１３３】
あるいは、上側部分は、再密閉可能なラベルまたは他の周知の開封システムによって画定されてもよい。
【０１３４】
本発明によれば、外装１０１は、上記に述べたことによって作製される包装材シート１によって画定され、容器１０２の周囲に包装される。
【０１３５】
より厳密には、シート１の開封手段５の第１のバンド６は、周辺方向に容器１０２の周囲において延びる。したがって、シート１の包装方向「Ａ」は、中心にある長手方向の容器１０２の軸「Ｄ」の周囲において環状に通っている。
【０１３６】
なお、より詳細には、シート１の第１の部分１ａおよび第２の部分１ｂは、それぞれ、容器１０２の第１の片側部分１０２ａおよび第２の片側部分１０２ｂと重なり合う。
【０１３７】
したがって、図示の実施形態を参照すると、シート１の第１の部分１ａおよび第２の部分１ｂは、それぞれ、上側部分および収納部分と重なり合う。
【０１３８】
したがって、有利なことに、ユーザは、収納部分および上側部分の双方に沿って延びる３つ以上の開封ラインをシート１に作製するために、第１のバンド６に作用しさえすればよい。したがって、本発明に係るシート１によって、包装箱１００の外装１０１は、容器１０２から取り外し易い。
【０１３９】
なお、包装材シート１、すなわち、外装１０１は、２つのフラップ１０３を有する。２つのフラップ１０３は、それぞれ、第１の縁部２および第２の縁部３に近く、第１の縁部２が、少なくとも第１のバンド６および第２のバンド７において、開封ライン「Ｌ１」、「Ｌ２」、「Ｌ３」に沿って外装１０１を裂くためにユーザによって把持可能なタブまたは把持部分１０４を画定するように互いに熱シールされる。
【０１４０】
好ましくは、把持タブ１０４は、容器１０２の１つの側面に位置する。
【０１４１】
本発明は、上述の目的を達成し、重要な長所をもたらす。
【０１４２】
実際に、３つの別々の開封ラインを生成する３つのバンドによって、ユーザが包装箱から外装を取り外すことは、非常に簡単になる。
【０１４３】
さらに、本発明に係る方法は、２つのステップ、すなわち、テープを固定するステップと帯を固定するステップのみにおいて、３つのバンドを作製することを可能にし、したがって製造する工程を容易にしかつ迅速化する。
【先行技術文献】
【特許文献】
【０１４４】
【特許文献１】国際公開第２０１３／１８９９４４号
【特許文献２】国際公開第２０１３／０４２５９３号
【特許文献３】国際公開第２０１３／１２０８９９号
【図１】
0006564391.tif 000002
【図２】
0006564391.tif 000003
【図２ａ】
0006564391.tif 000004
【図３】
0006564391.tif 000005
【図４】
0006564391.tif 000006
【図５ａ】
0006564391.tif 000007
【図５ｂ】
0006564391.tif 000008
【図５ｃ】
0006564391.tif 000009
【図５ｄ】
0006564391.tif 000010
【図６】
0006564391.tif 000011
【図７】
0006564391.tif 000012